(57)【要約】【課題】  複数の記録媒体にわたって画像を記録した場合にも、容易に記録媒体を管理可能とする。【解決手段】  画像データを記録媒体に記録する記録手段と、前記記録手段により前記画像データを記録した複数の前記記録媒体を複数のグループに分類して管理するためのグループ管理情報を生成する管理手段とを備えた。【選択図】  図２
2007128623.tif 000002
【特許請求の範囲】
【請求項１】
画像データを記録媒体に記録する記録手段と、
前記記録手段により前記画像データを記録した複数の前記記録媒体を複数のグループに分類して管理するためのグループ管理情報を生成する管理手段とを備えた記録装置。
【請求項２】
前記グループ管理情報は、グループ名と前記グループに割り当てられた記録媒体の識別情報とを含むことを特徴とする請求項１記載の記録装置。
【請求項３】
前記管理手段は前記記録媒体の識別情報を用いて前記記録媒体のグループを検出することを特徴とする請求項２記載の記録装置。
【請求項４】
前記管理手段は、前記記録媒体が、既に生成された前記グループ管理情報にて管理されるグループに割り当てられているか否かを判別し、割り当てられていなかった場合には前記記録媒体を前記グループに分類するか否かを問い合わせるための情報を表示装置に表示することを特徴とする請求項１記載の記録装置。
【請求項５】
既に生成された複数の前記グループより前記記録媒体を割り当てるグループを選択するための指示手段を備え、前記管理手段は前記指示手段により選択されたグループに対して前記記録媒体を分類するよう前記グループ管理情報を更新することを特徴とする請求項４記載の記録装置。
【請求項６】
前記指示手段は更に、新たなグループの生成を指示可能であり、前記管理手段は前記指示手段により新たなグループの生成が指示された場合には、新たなグループを生成すると共にこの新たなグループに対して前記記録媒体を割り当てるよう前記グループ管理情報を更新することを特徴とする請求項４記載の記録装置。
【請求項７】
前記管理手段は、新たに前記記録媒体が装着されたことに応じて、前記新たに装着された記録媒体が、既に生成された前記グループ管理情報にて管理されるグループに割り当てられているか否かを判別することを特徴とする請求項４記載の記録装置。
【請求項８】
前記グループ管理情報は、一つの前記グループに登録されている複数の記録媒体に記録された画像データの合計記録時間の情報を含み、前記管理手段は前記記録媒体に対する前記画像データの記録動作に伴って前記合計記録時間の情報を更新することを特徴とする請求項１記載の記録装置。
【請求項９】
前記画像データに係る画像と共に前記合計記録時間の情報を表示する表示手段を備えたことを特徴とする請求項８記載の記録装置。
【請求項１０】
前記グループ管理情報は、一つの前記グループに登録されている複数の記録媒体に記録された画像データの合計記録データ量の情報を含み、前記管理手段は前記記録媒体に対する前記画像データの記録動作に伴って前記合計記録データ量の情報を更新することを特徴とする請求項１記載の記録装置。
【請求項１１】
前記画像データに係る画像と共に前記合計記録データ量の情報を表示する表示手段を備えたことを特徴とする請求項１０記載の記録装置。
【請求項１２】
前記グループ管理情報を記憶するメモリを備えたことを特徴とする請求項１記載の記録装置。
【発明の詳細な説明】
【技術分野】
【０００１】
本発明は記録装置に関する。
【背景技術】
【０００２】
従来、画像を撮影してＤＶＤなどの光ディスクに記録するディスクビデオカメラが知られている。ディスクビデオカメラにおいては、その携帯性を重視し、一般的な直径１２ｃｍのＤＶＤではなく、直径８ｃｍという小型のディスクを用いることが提案されている。
【０００３】
小型のディスクを使用することで、ビデオカメラのサイズを小型化でき、携帯性を高めることができる。しかし、小型のディスクは通常サイズのディスクに比べて記録可能な容量が小さい。従って、例えば旅行の時などには、数枚のディスクに撮影を行うことになる。
【０００４】
この様に複数枚のディスクにわたって記録した画像を再生する場合には、その都度ディスクを交換し、再生する必要がある。
【０００５】
そこで、ＰＣや大容量ＨＤＤを備えた家庭用のディスクレコーダなどに、ビデオカメラで複数枚のディスクに撮影した画像をコピーし、鑑賞するシステムが考えられている（例えば、特許文献１参照）。
【特許文献１】特開２００２−３３４５６１
【発明の開示】
【発明が解決しようとする課題】
【０００６】
前述の様に、複数枚のディスクに記録した画像を家庭用のディスクレコーダにコピーし、これを、改めて１２ｃｍのＤＶＤにまとめて記録することで保存する形態が考えられる。こうすることで、小型ディスクを再使用することができる。
【０００７】
しかしながら、複数枚のディスクに記録した画像を家庭用のディスクレコーダなどにコピーする際、ディスクの枚数が多いと、どのディスクに目的とする画像が記録されているのかわからなくなってしまうという問題があった。
【０００８】
本発明はこの様な問題を解決し、複数の記録媒体にわたって画像を記録した場合にも、容易に記録媒体を管理可能とすることを目的とする。
【課題を解決するための手段】
【０００９】
本発明においては、画像データを記録媒体に記録する記録手段と、前記記録手段により前記画像データを記録した複数の前記記録媒体を複数のグループに分類して管理するためのグループ管理情報を生成する管理手段とを備える。
【発明の効果】
【００１０】
複数の記録媒体にわたって画像を記録した場合にも、容易に記録媒体を管理可能となる。
【発明を実施するための最良の形態】
【００１１】
図１は本発明の実施形態におけるビデオカメラ１００の構成を示す図である。
図１において、１０１は撮像部、１０２は記録時には画像データを符号化すると共に再生時にはディスクから再生された画像データを復号する符号化復号化部、１０３は表示部１０４の表示動作を制御する表示制御部、１０４は液晶パネルなどの表示部である。１０５は装置外部の機器との間で画像信号を入出力する入出力部、１０６は各部を制御する制御部、１０７は各種のスイッチ、キーなどを備える操作部、１０８は後述のグループ管理情報などを格納するメモリである。１０９はディスクＤに対してレーザビームを照射してデータを記録再生する記録再生部、１１０はデータバスである。本形態ではディスクＤとしてＤＶＤなどの光ディスクを用いる。
【００１２】
図１において、通常の撮影時においては、撮像部１０１により得られた動画像データが符号化復号化部１０２に送られ、ＭＰＥＧ２方式に従い符号化される。符号化された画像データは記録再生部１０９に送られ、記録再生部１０９は符号化された画像データをディスクＤに記録する。表示制御部１０３は、撮影時においては、撮像部１０１により得られた動画像の他、各種の情報を多重して表示部１０４に表示する。
【００１３】
また、再生時においては、記録再生部１０９によりディスクＤに記録された画像データを再生し、符号化復号化部１０２に送る。符号化復号化部１０２は再生された画像データを復号し、表示制御部１０３に送る。表示制御部１０３は復号された画像を表示部１０４に表示する。
【００１４】
本実施形態のビデオカメラ１００は、複数枚のディスクＤを一つのグループとして管理することが可能である。
【００１５】
以下、図２のフローチャートを用いて、制御部１０６によるディスクの装着に伴うグループの管理動作について説明する。
【００１６】
新たにディスクＤが装着されると図２のフローが開始する。なお、図２のフローは、ディスクＤの装着に伴う管理情報の読み取り、及び記録レーサパワーの調整処理に引き続いて行われる。
【００１７】
まず、記録再生部１０９により、装着されたディスクＤより管理情報を再生し、メモリ１０８に格納する。ここで、管理情報とは、各ディスクに記録されているデータの内容や記録位置、ファイル名やディスクの残容量、ディスク固有のＩＤなどの情報を含む情報である。本形態では、ディスクの装着時に管理情報を再生してメモリ１０８に格納しておき、ディスクＤに対する記録再生動作に応じて管理情報の内容を更新する。そして、ディスク排出時にディスク上の所定のトラックに管理情報を記録する。
【００１８】
管理情報を読み出すと、その中に含まれている、ディスク固有のＩＤを検出する（Ｓ２０２）。そして、このディスクＩＤと、メモリ１０８に格納されているグループ情報に登録されたディスクＩＤとを比較する。
【００１９】
本実施形態では、複数のディスクをグループに分類して管理するためのグループ情報を生成し、メモリ１０８に格納している。このグループ情報はグループ名、登録されているディスクの数と各ディスクのディスクＩＤ、グループの合計の記録時間などの情報を含む。メモリ１０８に記憶されたグループ情報はビデオカメラ１００の電源をオフしても保持される。
【００２０】
ここでは、各グループに登録されているディスクＩＤと、Ｓ２０２で検出されたディスクＩＤとを比較し、グループに登録すみか否かを判別する（Ｓ２０３）。
【００２１】
登録済みであった場合、Ｓ２０８に進み、登録済みグループの情報を表示部１０４に表示する。Ｓ２０８で表示する画面の例を図３の３０３に示した。ここでは、登録されているグループ名と、そのグループの何枚目のディスクであるかということを表示する。
【００２２】
一方、Ｓ２０３で、何れのグループにも登録されていなかった場合、このディスクをグループに登録するか否かを問い合わせるための情報を表示部１０４に表示する（Ｓ２０４）。このときの表示画面の例を図３の３０１に示す。
【００２３】
ユーザは操作部１０７を操作することでカーソル３０１Ａを移動し、登録するか否かを選択することができる（Ｓ２０５）。
【００２４】
ここで、いいえを選択した場合には、Ｓ２０９に進み、記録待機状態となる。
【００２５】
また、登録を選択した場合、図３の３０２に示す画面を表示部１０４に表示し、登録するグループの選択を待つ。ユーザは操作部１０７を操作することによりカーソル３０２Ａを移動し、登録したいグループを選択することができる。３０２では、グループ名がグループ１とグループ２の二つのグループが既に登録されていることを示している。また、ユーザは、何れのグループとも異なる新たなグループとして登録したい場合、新規グループを選択する（Ｓ２０６）。
【００２６】
新規グループが選択された場合、この新規グループに関するグループ情報を生成してメモリ１０８に格納する。このとき、グループ名はデフォルトのグループ名を付加してもよいし、グループ名入力のための画面を表示部１０４に表示し、ユーザが操作部１０７によりグループ名を入力する構成としてもよい。
【００２７】
また、既存のグループが選択された場合、メモリ１０８に格納されているグループ情報のうち、選択されたグループのグループ情報にこのディスクのＩＤを登録する（Ｓ２０７）。そして、Ｓ２０８に進んで登録済みグループの情報を表示した後、記録待機状態となる（Ｓ２０９）。
【００２８】
記録待機状態及び記録状態における表示部１０４の表示画面の例を図４に示す。
図４において、４０２は現在のディスクの記録時間を示している。また、４０３はこのディスクが登録されているグループの合計の記録時間、及びグループ名、グループ内のディスク番号を示している。
【００２９】
制御部１０６は、メモリ１０８に記録されているグループ情報に基づいて、０３の情報を表示する。
【００３０】
この様に、現在のディスクが登録されているグループの合計の記録時間を表示しておくことで、同一グループに登録された複数枚のディスクの合計の記録時間を容易に認識することができる。
【００３１】
そのため、これら複数枚のディスクの内容を一つのディスクにまとめてコピーする場合に、時間の管理がしやすくなる。
【００３２】
なお、図３の画面３０２において、グループ名だけでなく、各グループの合計記録時間の情報も併せて表示する様にしてもよい。また、各グループの最初のディスクに最初に記録したシーンの画像を縮小し、そのグループを代表する代表画像データとしてグループ管理情報と共にメモリ１０８に記憶しておき、画面３０２に表示してもよい。
【００３３】
なお、ディスクビデオカメラにおいては、記録する画像データのデータレートを複数設定できるように構成し、ユーザが任意に切り替えられるようになっているものもある。
その場合、同じ記録時間でもデータ量が異なることになる。
【００３４】
そこで、グループ情報として、合計の記録時間の他、合計のデータ量を記録しておき、この合計のデータ量の情報を撮影待機中、或いは撮影中に表示するようにしてもよい。
【００３５】
このときの表示画面の例を図５に示す。
図５において、５０１は表示画面、５０２は現在装着されているディスクに記録されているデータ量の情報、５０３はこのディスクのグループの合計記録データ量の情報である。
【図面の簡単な説明】
【００３６】
【図１】本発明の実施形態におけるビデオカメラの構成を示す図である。
【図２】実施形態におけるディスクのグループ登録処理を示すフローチャートである。
【図３】ディスクのグループ登録処理に係る表示画面の様子を示す図である。
【図４】撮影時における表示画面を示す図である。
【図５】撮影時における表示画面を示す図である。
【図１】
2007128623.tif 000003
【図２】
2007128623.tif 000004
【図３】
2007128623.tif 000005
【図４】
2007128623.tif 000006
【図５】
2007128623.tif 000007